(57)【特許請求の範囲】
【請求項１】
内部に収容された写真処理剤を取り出す取出口がシール部材によって閉塞され写真処理剤の種類ごとに異なる高さとされた写真処理剤用容器を、この高さに一対一で対応する間隔とされた保持板と当接板との間で取出口が下を向くように自動現像機の補充槽の上方に保持する保持工程と、
前記写真処理剤用容器の前記シール部材を筒体によって下方から押圧して前記取出口を開封する開封工程と、
前記筒体に形成された吐出口から前記写真処理剤用容器内に洗浄水を吐出して写真処理剤用容器内を洗浄する洗浄工程と、
前記吐出口から前記写真処理剤用容器内に乾燥風を吐出して写真処理剤用容器内を乾燥させる乾燥工程と、
を有することを特徴とする写真処理剤供給方法。
【請求項２】
前記洗浄工程で洗浄水の量を計測することを特徴とする請求項１に記載の写真処理剤供給方法。
【請求項３】
内部に収容された写真処理剤を取り出す取出口がシール部材によって閉塞され写真処理剤の種類ごとに異なる高さとされた写真処理剤用容器を、この高さに一対一で対応する間隔とされた保持板と当接板との間で取出口が下になるように自動現像機の補充槽の上方に保持する保持手段と、
前記自動現像機に昇降可能に設けられ、前記保持手段に保持された前記写真処理剤用容器の前記シール部材を下方から押圧して前記取出口を開封する筒体と、
前記筒体に形成された吐出口と、
前記自動現像機に設けられ、前記筒体に洗浄水若しくは乾燥風のいずれか一方又は両方を選択して供給し前記吐出口から吐出させる供給手段と、
を有することを特徴とする写真処理剤供給装置。
【請求項４】
前記筒体に供給された洗浄水の量を計測可能な制御装置、を有することを特徴とする請求項３に記載の写真処理剤供給装置。
【発明の詳細な説明】
【０００１】
【発明の属する技術分野】
本発明は、写真処理剤供給方法及び写真処理剤供給装置に関し、さらに詳しくは、内部に収容された写真処理剤を取り出す取出口がシール部材によって閉塞された写真処理剤用容器から自動現像機の補充槽に写真処理剤を供給する写真処理剤供給方法及び写真処理剤供給装置に関する。
【０００２】
【従来の技術】
フィルムプロセッサやプリンタプロセッサ等の自動現像機には、発色現像、漂白定着、水洗及び安定などのための処理液や水の入った複数の処理槽が設けられており、フィルムやカラーペーパーはこれらの処理槽内に順に浸漬されながら搬送されて処理される。
【０００３】
各処理槽の処理液の成分組成や量は、フィルムやカラーペーパーの処理によって変化する。このため、自動現像機には、各処理槽に対応して補充槽が設けられており、各処理槽の処理量に応じてこの補充槽から処理槽へ新しい液が補充されるようになっている。すなわち、それぞれの補充槽では、液状、ペースト状あるいは粉末状とされて濃縮された写真処理剤と、所定量の水が混合されて、所望の濃度の処理液が生成され、各処理槽へ補充される。
【０００４】
ここで、写真処理剤はあらかじめ工場等で容器に入れられており、この容器の取出口が蓋によって閉止されている。また、補充槽への写真処理剤の補充は、作業者の人手によって行われている。従って、作業者はいちいち蓋を手で取り外して取出口を開封し、写真処理剤を補充槽に投入しなけらばならなかった。
【０００５】
また、蓋を取り外すときに写真処理剤が手や衣服に付着しないように注意を払う必要があり、作業者の負担になっていた。
【０００６】
一方、写真処理剤用容器から写真処理剤を取り出した後にも、写真処理剤用容器の内面に写真処理剤が付着し残留してしまうことがあった。特に、ペースト状の写真処理剤は、粘性が高いために写真処理剤用容器から流れ落ちるのに時間がかかり、写真処理剤用容器内に残留しやすい。この問題点は、写真処理剤用容器の取出口の内径を大きくすることで解消されるが、取出口の内径の大きな写真処理剤用容器を成形することは一般に困難で、コストがかかる。また、粉末状の写真処理剤に場合には、水分を吸収すると固化して写真処理剤用容器内に残留しやすい。
【０００７】
また、このように写真処理剤が写真処理剤用容器内に残留していると、写真処理剤用容器のリユースができない。
【０００８】
【発明が解決しようとする課題】
本発明はかかる事実を考慮し、写真処理剤用容器の取出口を容易に開封でき、写真処理剤が作業者の手や衣服に付着せず、しかも写真処理剤用容器内の写真処理剤を残さず取り出して写真処理剤用容器のリユースを可能とする写真処理剤供給方法及び写真処理剤供給装置を得ることを課題とする。
【０００９】
【課題を解決するための手段】
請求項１に記載の発明では、内部に収容された写真処理剤を取り出す取出口がシール部材によって閉塞され写真処理剤の種類ごとに異なる高さとされた写真処理剤用容器を、この高さに一対一で対応する間隔とされた保持板と当接板との間で取出口が下を向くように自動現像機の補充槽の上方に保持する保持工程と、前記写真処理剤用容器の前記シール部材を筒体によって下方から押圧して前記取出口を開封する開封工程と、前記筒体に形成された吐出口から前記写真処理剤用容器内に洗浄水を吐出して写真処理剤用容器内を洗浄する洗浄工程と、前記吐出口から前記写真処理剤用容器内に乾燥風を吐出して写真処理剤用容器内を乾燥させる乾燥工程と、を有することを特徴とする。
【００１０】
すなわち、まず、保持工程によって、写真処理剤用容器を取出口が下を向くようにして、自動現像機の上方に保持する。写真処理剤の種類ごとに異なる高さとされた写真処理剤用容器を、この高さに一対一で対応する間隔とされた保持板と当接板との間で保持するので、誤装着が防止される。このとき、取出口は補充槽と対向している。なお、取出口のシール部材としては、例えば、アムミニウムで成形された薄膜があり、このシール部材（薄膜）を取出口の口縁に貼着して、写真処理剤用容器の取出口が閉塞される。
【００１１】
また、写真処理剤用容器内に収容される写真処理剤は、液状、ペースト状及び粉体状のいずれであってもよい。
【００１２】
次に、開封工程で、筒体によってシール部材を下方から押圧する。これによってシール部材が押し破られて、筒体の先端の吐出口が写真処理剤用容器の内部に位置する。また、取出口を下にして保持された写真処理剤用容器からは、写真処理剤が流出して補充槽に補充される。
【００１３】
次に、洗浄工程で、筒体に形成された吐出口から写真処理剤用容器内に洗浄水を吐出して、写真処理剤用容器内を洗浄する。このとき、写真処理剤が液状の場合には、写真処理剤用容器の内側に僅かな写真処理剤が付着していても、これを洗い流すことができる。また、写真処理剤がペースト状の場合には、写真処理剤が洗浄水で薄められて液状となるので、取出口の内径が小さくても写真処理剤用容器内から写真処理剤がスムーズに流れ落ち、写真処理剤用容器内に残った写真処理剤をすべて洗い流すことができる。さらに、写真処理剤が粉末状であって、水分を吸収して固化してしまっている場合でも、洗浄水に写真処理剤が溶けて液状となるので、写真処理剤用容器内からスムーズに流れ落ち、写真処理剤用容器内に残った写真処理剤も洗い流すことができる。このように、写真処理剤が液状、ペースト状及び粉末状のいずれであっても、洗浄工程によって、写真処理剤用容器内を洗浄し、写真処理剤を残さず流出させることができる。これにより、洗浄工程終了後は、写真処理剤用容器の内面に洗浄液のみが付着している。
【００１４】
次に、乾燥工程で、吐出口から乾燥風を写真処理剤用容器内に吐出して写真処理剤用容器内を乾燥させる。写真処理剤用容器の内面に付着した洗浄液をすべて蒸発させることができる。
【００１５】
このように、請求項１の写真処理剤供給方法では、開封工程で筒体によってシール部材を押圧するだけで取出口を容易に開封できる。従来のようにいちいちキャップを外す手間が省け、処理液が作業者の手や衣服に付着することもない。
【００１６】
また、洗浄工程で写真処理剤用容器内を洗浄するので、写真処理剤が液状、ぺースト状及び粉末状のいずれであっても、写真処理剤を写真処理剤用容器内に残さず、すべて流出させることができる。
【００１７】
さらに、乾燥工程で写真処理剤用容器内を乾燥させるので、写真処理剤用容器をそのままリユースできる。
【００１８】
また、シール部材を押圧した筒体は写真処理剤用容器内に位置しているので、引き続き筒体に形成された吐出口から洗浄液及び乾燥風を吐出でき、各工程の間に無駄な動作がない。
【００１９】
請求項２に記載の発明では、請求項１に記載の発明において、前記洗浄工程で洗浄水の量を計測することを特徴とする。
【００２０】
したがって、所望の濃度の写真処理液を得るためにさらに補充すべき水の量が計算できる。
【００２１】
請求項３に記載の発明では、内部に収容された写真処理剤を取り出す取出口がシール部材によって閉塞され写真処理剤の種類ごとに異なる高さとされた写真処理剤用容器を、この高さに一対一で対応する間隔とされた保持板と当接板との間で取出口が下になるように自動現像機の補充槽の上方に保持する保持手段と、前記自動現像機に昇降可能に設けられ、前記保持手段に保持された前記写真処理剤用容器の前記シール部材を下方から押圧して前記取出口を開封する筒体と、前記筒体に形成された吐出口と、前記自動現像機に設けられ、前記筒体に洗浄水若しくは乾燥風のいずれか一方又は両方を選択して供給し前記吐出口から吐出させる供給手段と、を有することを特徴とする。
【００２２】
すなわち、この写真処理剤供給装置では、自動現像機の上方に設けられた保持手段に写真処理剤用容器が保持される。写真処理剤の種類ごとに異なる高さとされた写真処理剤用容器を、この高さに一対一で対応する間隔とされた保持板と当接板との間で保持するので、誤装着が防止される。このとき、写真処理剤用容器の取出口が下になるように保持される。
【００２３】
ここで、自動現像機に設けられた筒体を上昇させる。筒体がシール部材を下方から押圧し、取出口を開封する。例えば、シール部材が、取出口の口縁に貼着されたアルミニウムの薄膜の場合には、この薄膜を突き破る。このように、筒体を上昇させるだけで、容易に取出口を開封することができる。このとき、筒体の先端に形成された吐出口が、写真処理剤用容器内に位置する。
【００２４】
写真処理剤用容器は保持手段によって取出口を下にして保持されているので、取出口が開封されると、写真処理剤用容器内の写真処理剤が流出する。
【００２５】
つぎに供給手段によって洗浄水を筒体に供給し、吐出口から突出させる。写真処理剤が液状の場合には、写真処理剤用容器の内側に付着した僅かな写真処理剤も洗い流される。また、写真処理剤がペースト状の場合には、写真処理剤が洗浄水で薄められて液状となり、取出口の内径が小さくても写真処理剤用容器内から写真処理剤をスムーズに流れ落とし、写真処理剤用容器内に残った写真処理剤がすべて洗い流される。さらに、水分を吸収して固化した粉末状の写真処理剤でも、洗浄水で写真処理剤に溶けて液状となり、スムーズに流れ落とすことができる。これにより、洗浄後は、写真処理剤用容器の内面に洗浄液のみが付着する。
【００２６】
なお、筒体内に長手方向の隔壁を設けて複数の通路を構成し、あるいは筒体を複数本設け、供給手段から筒体に洗浄水を乾燥風を同時に供給してそれぞれの吐出口から洗浄水を乾燥風を同時に吐出できるようにしてもよい。
【００２７】
次に、供給手段から乾燥風を筒体に供給し、吐出口から吐出させる。これにより、写真処理剤用容器の内面に付着した洗浄液がすべて蒸発する。
【００２８】
このように、請求項３の写真処理剤供給装置では、筒体を上昇させてシール部材を押圧するだけで取出口を容易に開封できる。従来のようにいちいちキャップを外す手間が省け、処理液が作業者の手や衣服に付着することもない。
【００２９】
また、供給手段によって洗浄水を筒体に供給して吐出口から吐出させるので、写真処理剤が液状、ぺースト状及び粉末状のいずれであっても、写真処理剤を残さず写真処理剤用容器内から流出させることができる。
【００３０】
さらに、供給手段によって乾燥風を筒体に供給して吐出口から吐出させ、写真処理剤用容器内に残った洗浄液を蒸発させるので、写真処理剤用容器をそのままリユースできる。
【００３１】
また、筒体でシール部材を押圧して取出口を開封し、筒体に形成された吐出口から洗浄水及び乾燥風を吐出するようにすることもでき、このようにすれば、これらの動作を別々の部材で行う場合と比較して部品点数が少なくなる。
【００３２】
請求項４に記載の発明では、請求項３に記載の発明において、前記筒体に供給された洗浄水の量を計測可能な制御装置、を有することを特徴とする。
【００３３】
したがって、所望の濃度の写真処理液を得るためにさらに補充すべき水の量が計算できる。
【００３４】
【発明の実施の形態】
図１には、本発明の一実施の形態に係る写真処理剤供給装置１２が設けられた自動現像機１０が示されている。自動現像機１０内には、図２に示すように、仕切り壁１４によって複数の供給室１６が形成されており、これらの供給室１６のそれぞれに、写真処理剤供給装置１２が一機づつ設けられている。通常は、現像液、定着液等の写真処理液の種類ごとに写真処理剤供給装置１２が複数必要とされ、図１では６機の写真処理剤供給装置１２が設けられた例を示している。（なお、図１では図示の便宜上、仕切り壁１４を省略している。）
それぞれの供給室１６の上部は、自動現像機１０に軸支された開閉扉１８によて開閉することができるようになっている。開閉扉１８を開放して、供給室１６内に上方から写真処理剤用容器２０を入れることができる。なお、この写真処理剤用容器２０内には、液状の写真処理剤が収容されており、この写真処理剤を取り出す取出口２２が、アルミニウムによって薄膜状に形成されたシールで閉塞されている。
【００３５】
図２に示すように、おのおのの供給室１６は、隔壁２４によって、手前側供給室２６（矢印Ｂの反対方向側）と奥側供給室２８とに隔離されており、手前側供給室２６の下方には、補充槽（図示省略）が位置している。隔壁２４の手前側からは、補充槽の上方に位置するように、保持台である保持板３０が突設されている。この保持板３０には、手前側（矢印Ｂの反対方向側）が開口した保持孔３２が形成されており、この開口から写真処理剤用容器２０を逆さにして保持孔３２に差し入れると、写真処理剤用容器２０の肩部２０Ａが保持孔３２の内面に当接して、補充槽の上方に写真処理剤用容器２０が保持される。
【００３６】
また、保持板３０の上方には、隔壁２４から当接板３４が突設されており、保持板３０に保持された写真処理剤用容器２０の底面２０Ｂ（図２では、写真処理剤用容器２０が逆さに保持されているので上側の面）に面接触するようになっている。ここで、図１に示すように、写真処理剤用容器２０は、写真処理剤の種類ごとにその高さが異なるように成形されており、この写真処理剤用容器２０の高さと、写真処理剤供給装置１２ごとの保持板３０と当接板３４との間隔が一対一に対応している。従って、例えば、写真処理剤Ａを補充すべき写真処理剤供給装置１２に、作業者が誤って写真処理剤Ｂが収容された写真処理剤用容器２０をセットしようとしても、写真処理剤用容器２０の底面２０Ｂと当接板３４とが面接触しないのでセットできず、誤装着が防止される。
【００３７】
隔壁２４には駆動部３６が固定されて、奥側供給室２８内に配置されると共に、この駆動部３６の下方に昇降部３８が配設されている。昇降部３８からは上方に向けて２本のピストン４０が突設されており、これらのピストン４０が駆動部３６内に設けられた２本のシリンダ（図示省略）内に収容されて、昇降部３８が駆動部３６に対して昇降可能に支持されている。また、昇降部３８からは上方に向けて、ラックが形成されたラック板４２が突設されており、このラックが、駆動部３６内のピニオン４３（図８参照）とかみ合っている。駆動部３６内のモータ（図示省略）の駆動によりピニオン４３を回転させ、昇降部３８を昇降させることができる。
【００３８】
昇降部３８の前面からは、略Ｌ字状の穿孔パイプ４４が手前側に向けて突設されており、隔壁２４に形成された縦長孔４６を貫通して、先端側が上方に向いている。この穿孔パイプ４４の先端は、保持板３０に写真処理剤用容器２０がセットされた状態で、写真処理剤用容器２０の取出口２２の下方に位置する。また、穿孔パイプ４４の外径は、穿孔パイプ４４と取出口２２との間を写真処理剤が流出するように、取出口２２の内径よりも若干小さくされている。
【００３９】
穿孔パイプ４４の先端は半球状に形成され、この半球状の部分に複数の吐出口４８が形成されている。
【００４０】
駆動部３６及び昇降部３８のさらに奥には、供給部５０が配設されている。この供給部５０の前壁には、洗浄水パイプ５２及び乾燥風パイプ５４が貫通している。洗浄水パイプ５２及び乾燥風パイプ５４は、供給部５０内でそれぞれ略中間部が分断されており、この分断された部分に、ソレノイド５６によってスライドする開閉板５８が配置されている。開閉板５８には挿通孔６０が形成されており、開閉板５８のスライドによって、挿通孔６０が洗浄水パイプ５２及び乾燥風パイプ５４のいずれか一方を連通し、他方は開閉板５８が遮蔽する。すなわち、開閉板５８とソレノイド５６とで、バルブ６２（図８参照）が構成されている。
【００４１】
洗浄水パイプ５２及び乾燥風パイプ５４とは供給部５０内で１本の集合パイプ６４にまとめられ、供給部５０の上面から上方に突出している。集合パイプ６４は、フレキシブルパイプ６６を介して昇降部３８に接続され、さらに昇降部３８内を通って穿孔パイプ４４に接続されている。
【００４２】
また、図８に示すように、洗浄水パイプ５２は、自動現像機１０内に設けられた洗浄水タンク６８に連通されており、洗浄水タンク６８内の洗浄水が、ベローズポンプ７０によって供給される。
【００４３】
一方、乾燥風パイプ５４は、自動現像機１０内に設けられた集風装置７２に連通されており、この集風装置７２によって集められた自動現像機１０内の温排風が、ファン７４によって供給される。すなわち、自動現像機１０内には，処理液を所定の温度に維持するためのヒータ等の加熱手段が設けられており、従来はこの加熱手段の周囲の熱が、温排風としてファン等で自動現像機１０の外部に放出されている。この、従来は外部に放出されていた自動現像機１０内の温排風が、集風装置７２によって集められ、ファン７４によって乾燥風パイプ５４に供給される。
【００４４】
ベローズポンプ７０、バルブ６２（ソレノイド５６及び開閉板５８）、ファン７４及び集風装置７２は、制御装置７６によって制御される。特に、ベローズポンプ７０については、送り出した洗浄水が制御装置７６によって計量されるようになっている。また、ベローズポンプ７０、バルブ６２（ソレノイド５６及び開閉板５８）、ファン７４及び集風装置７２の動作状況は、制御装置７６に接続されたモニタ７８によって監視できる。
【００４５】
次に、本実施の形態に係る写真処理剤供給装置１２によって、写真処理剤用容器２０に収容された液状の写真処理剤を供給する方法について説明する。
【００４６】
まず、開閉扉１８を開けて、図２に示すように、写真処理剤用容器２０を保持板３０の保持孔３２に差し入れ、写真処理剤用容器２０をセットする。このとき、写真処理剤ごとに写真処理剤用容器２０の高さが異なっており、この写真処理剤用容器２０の高さに対応して、保持板３０と当接板３４との間隔が設定されているので、写真処理剤用容器２０を誤装着することがない。この状態で、写真処理剤用容器２０は、取出口２２が下を向いて、補充槽（図示省略）の上方に保持されている。
【００４７】
次に、制御装置７６が駆動部３６内のピニオン４３（図８参照）を回転させて、図３に示すように、昇降部３８を上昇させる。これにより穿孔パイプ４４も上昇し、穿孔パイプ４４の先端が、取出口２２を閉塞しているアルミニウム製の薄膜のシールを突き破って、取出口２２が開封される。このとき、写真処理剤用容器２０の底面２０Ｂは当接板３４に面接触しているので、写真処理剤用容器２０全体が穿孔パイプ４４に押されることで上方に移動してしまうことはない。取出口２２と穿孔パイプ４４との間には隙間があいており、この隙間から、写真処理剤が流出し、補充槽に補充される。このとき、穿孔パイプ４４の先端の吐出口４８は、写真処理剤用容器２０内に位置している。
【００４８】
写真処理剤の流出が終わると、図４に示すように、制御装置７６がソレノイド５６を駆動して開閉板５８をスライドさせ、乾燥風パイプ５４を閉じると共に洗浄水パイプ５２を連通する。ベローズポンプ７０を運転すると、洗浄水タンク６８内の洗浄水が洗浄水パイプ５２、集合パイプ６４、フレキシブルパイプ６６、穿孔パイプ４４を経て、吐出口４８から吐出される。これにより、洗浄水が写真処理剤用容器２０の内面に付着していた写真処理剤を全て洗い流し、写真処理剤用容器２０が洗浄される。このときにベローズポンプ７０によって送りだされた洗浄水の量が、制御装置７６によって計量されている。
【００４９】
次に、ベローズポンプ７０を停止し、図５に示すように、ソレノイド５６によって開閉板５８をスライドさせて、乾燥風パイプ５４を連通し、洗浄水パイプ５２を閉じる。ファン７４を運転すると、自動現像機１０内の温排風が、乾燥風パイプ５４、集合パイプ６４、フレキシブルパイプ６６、穿孔パイプ４４を経て、吐出口４８から吐出される。これにより、温排風が写真処理剤用容器２０の内面に付着していた洗浄液を全て蒸発させ、写真処理剤用容器２０が乾燥される。
【００５０】
次に、駆動部３６内のモータを逆転させて穿孔パイプ４４を降下させ、写真処理剤用容器２０を保持板３０から外す。写真処理剤用容器２０内には何も残っていないので、そのままリユースすることができる。
【００５１】
補充槽内には、写真処理剤用容器２０内の写真処理剤と、洗浄水とが補充されており、洗浄水は制御装置７６によって計量されているので、所望の濃度の写真処理液を得るためにさらに補充槽に補充すべき水の量が計算できる。
【００５２】
なお、写真処理剤が液状の場合だけでなく、ペースト状あるいは粉末状の場合であっても、上記と同様にして、写真処理剤の補充、写真処理剤用容器２０の洗浄、乾燥を行うことができる。特に、写真処理剤がペースト状の場合では、図６に示すように、洗浄水によってペースト状の写真処理剤を希釈して液状とし、取出口２２から流出させることができるので、写真処理剤用容器２０内に写真処理剤が残らない。また、写真処理剤が粉末状で、写真処理剤用容器２０内で水分を吸収して固化している場合であっても、図７に示すように、洗浄水によって、固化した写真処理剤を溶かし、液状として取出口２２から流出させることができるので、写真処理剤用容器２０内に写真処理剤が残らない。
【００５３】
上記したように、本実施の形態に係る写真処理剤供給装置１２によれば、穿孔パイプ４４を上昇させるだけで、取出口２２を開封して、写真処理剤を流出させることができる。
【００５４】
また、穿孔パイプ４４の吐出口４８から洗浄水を吐出して、写真処理剤用容器２０内の写真処理剤を洗い流すので、写真処理剤が写真処理剤用容器２０に残らず、ムダがない。
【００５５】
さらに、穿孔パイプ４４の吐出口４８から温排風を吐出して、写真処理剤用容器２０内に残った洗浄水を蒸発させ、写真処理剤用容器２０を乾燥させるので、写真処理剤用容器２０をのままリユースすることができる。
【００５６】
しかも、温排風としては、自動現像機１０内の冷却風を使用するので、エネルギーを無駄にすることなく、短時間で写真処理剤用容器２０を乾燥させることができる。
【００５７】
また、上記の作業が、自動現像機１０内で制御装置７６によってすべて行われるので、作業者の手間が省け、写真処理剤が作業者の手や衣服に付着することもない。もちろん、駆動部３６内のピニオン４３を駆動させるモータの回転、バルブ６２の開閉、ベローズポンプ７０の運転及びファン７４の運転等の各作業を、制御装置７６によらずに作業者が行ってもよい。
【００５８】
なお、保持手段としては、上記した保持板３０及び当接板３４に限られず、写真処理剤用容器２０を、取出口２２を下方に向けた状態で支持し、筒体（穿孔パイプ４４）によって上方に押されても、写真処理剤用容器２０が上方に移動しないようにするものであればよい。
【００５９】
また、本発明に使用される写真処理剤用容器２０（補充カートリッジ）の材質としては、紙、プラスチック、金属等いかなる材質でも用いることができるが、特に酸素透過係数が５０ミリリットル／ｍ２  ・ａｔｍ・ｄａｙ以下のプラスチック材料が好ましい。尚、酸素透過係数は「Ｏ２  ｐｅｒｍｅａｔｉｏｎ  ｏｆ  ｐｌａｓｔｉｃ  ｃｏｎｔａｉｎｅｒ，Ｍｏｄｅｒｎ  Ｐａｃｋｉｎｇ；Ｎ．Ｊ．Ｃａｌｙａｎ，１９６８」１２月号、第１４３〜１４５頁に記載の方法により測定することができる。
【００６０】
好ましいプラスチック材料としては、具体的には塩化ビニリデン（ＰＶＤＣ）、ナイロン（ＮＹ）、ポリエチレン（ＰＥ）、ポリプロピレン（ＰＰ）、ポリエステル（ＰＥＳ）、エチレン−酢酸ビニル共重合体（ＥＶＡ）、エチレン−ビニルアルコール共重合体（ＥＶＡＬ）、ポリアクリロニトル（ＰＡＮ）、ポリビニルアルコール（ＰＶＡ）、ポリエチレンテレフタレート（ＰＥＴ）等を挙げることができる。酸素透過性を低減する目的では、ＰＶＤＣ、ＮＹ、ＰＥ、ＥＶＡ、ＥＶＡＬ及びＰＥＴの使用が好ましい。
【００６１】
これらの材料は単一で使用し、成形して使用しても良いし、フィルム状にし、複数種貼り合せて成形し（いわゆる複合フィルム）使用しても良い。また、写真処理剤用容器２０の形状としては、瓶タイプ、キュービックタイプ、ピロータイプ等の各種形状を使用することができるが、本発明はフレキシブルで取扱性が容易で使用後減容化が可能なキュービックタイプ及びこれに類する構造が特に好ましい。
【００６２】
また、上記した複合フィルムとして使用する場合は下記に示す構造が特に好ましいが、これらに限定されるものではない。
【００６３】
・ＰＥ／ＥＶＡＬ／ＰＥ
・ＰＥ／アルミニウム箔／ＰＥ
・ＮＹ／ＰＥ／ＮＹ
・ＮＹ／ＰＥ／ＥＶＡＬ
・ＰＥ／ＮＹ／ＰＥ／ＥＶＡＬ／ＰＥ
・ＰＥ／ＮＹ／ＰＥ／ＰＥ／ＰＥ／ＮＹ／ＰＥ
・ＰＥ／ＳｉＯ２  膜／ＰＥ
・ＰＥ／ＰＶＤＣ／ＰＥ
・ＰＥ／ＮＹ／アルミニウム箔／ＰＥ
・ＰＥ／ＰＰ／アルミニウム箔／ＰＥ
・ＮＹ／ＰＥ／ＰＶＤＣ／ＮＹ
・ＮＹ／ＥＶＡＬ／ＰＥ／ＥＶＡＬ／ＮＹ
・ＮＹ／ＰＥ／ＥＶＡＬ／ＮＹ
・ＮＹ／ＰＥ／ＰＶＤＣ／ＮＹ／ＥＶＡＬ／ＰＥ
・ＰＰ／ＥＶＡＬ／ＰＥ
・ＰＰ／ＥＶＡＬ／ＰＰ
・ＮＹ／ＥＶＡＬ／ＰＥ
・ＮＹ／アルミニウム箔／ＰＥ
・紙／アルミニウム箔／ＰＥ
・紙／ＰＥ／アルミニウム箔／ＰＥ
・ＰＥ／ＰＶＤＣ／ＮＹ／ＰＥ
・ＮＹ／ＰＥ／アルミニウム箔／ＰＥ
・ＰＥＴ／ＥＶＡＬ／ＰＥ
・ＰＥＴ／アルミニウム箔／ＰＥ
・ＰＥＴ／アルミニウム箔／ＰＥＴ／ＰＥ
上記複合フィルムの厚みは５〜１５００ミクロン程度であり、好ましくは１０〜１０００ミクロン程度である。
【００６４】
また、写真処理剤用容器２０の内容量は１００ミリリットル〜２０リットル、好ましくは５００ミリリットル〜１０リットル程度である。
【００６５】
上記の写真処理剤用容器２０（補充カートリッジ）は、ダンボールやプラスチックの外箱を有してもよく、外箱と一体成形にて作成されていても良い。
【００６６】
本発明の写真処理剤用容器２０には各種処理液を充填することができる。例えば、カラー現像液、黒白現像液、漂白液、調整液、反転液、定着液、漂白定着液、安定液等を挙げることができるが、特に酸素透過係数の低い材料で成形した写真処理剤用容器２０にはカラー現像液、黒白現像液、定着液及び漂白定着液を使用するのが好ましい。
【００６７】
【発明の効果】
本発明は上記構成としたので、写真処理剤用容器の取出口を容易に開封でき、写真処理剤が作業者の手や衣服に付着せず、しかも写真処理剤用容器内の写真処理剤を残さず取り出して写真処理剤用容器のリユースが可能となる。
【図面の簡単な説明】
【図１】本発明の一実施の形態に係る写真処理剤供給装置が設けられた自動現像機の斜視図である。
【図２】本発明の一実施の形態に係る写真処理剤供給装置の概略を示す斜視図である。
【図３】本発明の一実施の形態に係る写真処理剤供給装置によって写真処理剤用容器の取出口を開封した状態を示す斜視図である。
【図４】本発明の一実施の形態に係る写真処理剤供給装置によって写真処理剤用容器を洗浄している状態を示す斜視図である。
【図５】本発明の一実施の形態に係る写真処理剤供給装置によって写真処理剤用容器を乾燥している状態を示す斜視図である。
【図６】本発明の一実施の形態に係る写真処理剤供給装置によって写真処理剤用容器内のペースト状の写真処理剤を洗い流している状態を示す斜視図である。
【図７】本発明の一実施の形態に係る写真処理剤供給装置によって写真処理剤用容器内の粉末状の写真処理剤を洗い流している状態を示す斜視図である。
【図８】本発明の一実施の形態に係る写真処理剤供給装置における洗浄水と乾燥風の流れ及び制御装置とピニオン、ベローズポンプ、バルブ、ファン、集風装置との接続を示す説明図である。
【符号の説明】
１２      写真処理剤供給装置
２０      写真処理剤用容器
２２      取出口
３０      保持板（保持手段）
３２      保持孔（保持手段）
４４      穿孔パイプ（筒体）
４８      吐出口
５０      供給部（供給手段）
５６      ソレノイド（供給手段）
５８      開閉板（供給手段）
７０      ベローズポンプ（供給手段）
７２      集風装置（集風手段）
７４      ファン（供給手段）
【図１】
0003586532.tif 000002
【図２】
0003586532.tif 000003
【図３】
0003586532.tif 000004
【図４】
0003586532.tif 000005
【図５】
0003586532.tif 000006
【図６】
0003586532.tif 000007
【図７】
0003586532.tif 000008
【図８】
0003586532.tif 000009